(57)【要約】【課題】少人数、容易に組み立てできるようにすることができ、かつ、容易に解体できるようにする。【解決手段】複数のパネル１１０，１８０，１９０，２００，２１０を用いて構築される機能室１００において、複数の側面パネル１９０，２００，２１０と、各側面パネル１９０等の位置を上下で規定する上部枠１６０及び下部枠１２０とを備え、上部枠１６０及び下部枠１２０に複数の貫通孔１７３等が設けられ、かつ、各側面パネル１９０等に各貫通孔１７３等の対応位置に穴部１９２が設けられ、各貫通孔１７３等と各穴部１９２に亘って各側面パネル１９０等と上部枠１６０及び下部枠１２０との相対位置を規定するストッパ１７４が配置される。【選択図】  図２
2012158876.tif 000002
【特許請求の範囲】
【請求項１】
複数のパネルを用いて構築される機能室において、
複数の側面パネルと、
前記各側面パネルの位置を上下で規定する上部枠及び下部枠とを備え、
前記上部枠及び下部枠に幾つかの貫通孔が設けられ、かつ、前記各側面パネルに当該貫通孔の対応位置に穴部が設けられ、
前記各貫通孔と前記各穴部に亘って前記各側面パネルと前記上部枠及び下部枠との相対位置を規定するストッパが配置される機能室。
【請求項２】
前記ストッパは、角柱体、円柱体、球体のいずれかである、請求項１記載の機能室。
【請求項３】
前記ストッパは、球体ストッパであって、
当該球体ストッパの中心を通る垂線が、前記上部枠及び下部枠の構成部材のうち前記各側面パネルの周囲に位置する枠部の内壁よりも内側となる条件とされている、請求項１記載の機能室。
【請求項４】
前記枠部と前記各側面パネルとの間には、金属板又はゴム板が位置する、請求項３記載の機能室。
【請求項５】
前記ゴム板を設けたときに、前記穴部の上下方向の長さを、前記球体ストッパの直径の１．２倍から１．７倍程度とする、請求項４記載の機能室。
【発明の詳細な説明】
【技術分野】
【０００１】
本発明は、機能室に関し、特に、防音室、オーディオ室及びサウナ室を含む機能室に関する。
【背景技術】
【０００２】
特許文献１には、建物内で組み立て設置される防音室の外枠を形成する複数のコーナー枠部材と、これらコーナー枠部材間に介装された複数の間柱部材と、前記コーナー枠部材と間柱部材との間若しくは各間柱部材間に装着可能なパネルとを備え、前記コーナー枠部材は、断面Ｌ字状に形成される一方、前記間柱部材は、断面Ｔ字状に形成される防音室について記載されている。
【０００３】
【特許文献１】特開平１１−２４７４７１号公報
【発明の開示】
【発明が解決しようとする課題】
【０００４】
しかし、特許文献１に記載されている防音室は、その構成部材の数が多く、組み立て工程も複雑である。また、容易に解体することが困難である。
【０００５】
そこで、本発明は、少人数、容易に組み立てできるようにすることができ、かつ、容易に解体できるようにすることを課題とする。
【課題を解決するための手段】
【０００６】
上記課題を解決するため、本発明は、
複数のパネル（例えば図２の符号１１０，１８０，１９０，２００，２１０）を用いて構築される機能室において、
複数の側面パネル（例えば図２の符号１９０，２００，２１０）と、
前記各側面パネルの位置を上下で規定する上部枠（例えば図２の符号１６０）及び下部枠（例えば図２の符号１２０）とを備え、
前記上部枠及び下部枠に幾つかの貫通孔（例えば図３の符号１７３）が設けられ、かつ、前記各側面パネルに当該貫通孔の対応位置に穴部（例えば図３の符号１９２）が設けられ、
前記各貫通孔と前記各穴部に亘って前記各側面パネルと前記上部枠及び下部枠との相対位置を規定するストッパ（例えば図３の符号１９２）が形成されている。
【０００７】
このストッパは、角柱体、円柱体、球体のいずれかとすることができる。球体ストッパを採用した場合には、当該球体ストッパの中心を通る垂線が、前記上部枠及び下部枠の構成部材のうち前記各側面パネルの周囲に位置する枠部の内壁よりも内側となる条件とするとよい。
【０００８】
また、前記枠部と前記各側面パネルとの間には、金属板又はゴム板を位置させるとよい。ゴム板を設けたときには、前記穴部の上下方向の長さを、前記球体ストッパの直径の１．２倍から１．７倍程度とするとよい。
【発明を実施するための最良の形態】
【０００９】
以下、本発明の実施形態について、図面を参照して説明する。
【００１０】
なお、図面は、本発明の実施形態の説明の都合上、一部を誇張して描いてあるものがある。したがって、実際の製品は、部材の数、寸法及び比率については図示されているものに限定されるわけではないことに留意されたい。
【００１１】
図１は、本発明の実施形態の機能室１００の模式図である。図２は、図１に示す機能室１００の分解斜視図である。図１（ａ）には機能室１００の正面図を示し、図１（ｂ）には機能室１００を構成する上部枠１６０の平面図を示し、図１（ｃ）には上部枠１６０の正面図を示している。図１（ｄ）には下部枠１２０の正面図を示している。
【００１２】
図１，図２に示すように、本実施形態の機能室１００は、床パネル１１０の上に下部枠１２０が設置され、下部枠１２０の上にドアパネル１３０，１４０（図２には示さず）を含む４方向のパネル（側面パネル）１９０，２００，２１０が設置され、各パネル１９０等の上に上部枠１６０が設置され、上部枠１６０の上に天井パネル１８０が設置される。各パネル１９０等は、用途に応じて、プラスティック製、木製などとすることができる。
【００１３】
なお、機能室１００は、天井パネル１８０のサイズを家庭用の汎用的な浴槽サイズ（例えば、７００ｃｍ×８００ｃｍ、１３５０ｃｍ×７７５ｃｍ）と同程度とし、かつ、床パネル１１０を取り外した状態で浴槽上に図示しない取付具などを介して取り付けることで、サウナ室としても機能させることができる。係る場合には、必要に応じて、天井パネル１８０にミストサウナ手段を設けることもできる。
【００１４】
また、機能室１００は、各パネル１９０等を防音パネルとすることで、防音室又はオーディオ室として機能させることもできる。
【００１５】
ドアパネル１３０，１４０は、複数のドアヒンジ１５０によって相互に接続されている。そして、ドアパネル１３０に設けられている図示しない取手を手前に引くことによって、ドアパネル１３０がドアヒンジ１５０の取付位置を中心に回動する。
【００１６】
図１（ｂ），図１（ｃ）に示すように、上部枠１６０は、角状の梁部１６４〜１６７が端部で連結されることで、四角い枠組が形成される。梁部１６４〜１６７の幅は、各パネル１９０等の幅よりも若干広く、梁部１６４〜１６７の底面が、各パネル１９０等の上面に設置されることになる。
【００１７】
梁部１６５〜１６７の外周には、パネル１９０を受ける枠部１６３と、パネル２００を受ける枠部１６２と、パネル２１０を受ける枠部１６１とがそれぞれ位置する。すなわち、上部枠１６０を構成する枠部１６３等は、部材各パネル１９０の周囲に位置することになる。
【００１８】
また、梁部１６４〜１６７の上側から内側に亘って、各パネル１９０等の位置を規定するプレート１６８〜１７１が取り付けられている。つまり、各パネル１９０等は、内側がプレート１６８等で受けられ、外側が枠部１６３等で受けられる。なお、機能室１００の機密性を高めたい場合には、プレート１６８〜１７１の厚みを考慮して、梁部１６４〜１６７にプレート１６８〜１７１の厚み分をカットして、そこにプレート１６８〜１７１を取り付けるようにするとよい。
【００１９】
図１（ｄ）に示すように、本実施形態では、下部枠１２０の構成も、上部枠１６０と同様に、梁部、枠部、及び、プレートという構成としている。もっとも、下部枠１２０及び上部枠１６０は、この種の構成を採用することは必須ではなく、例えば、断面が凹状となる枠組から構成し、それ単体でパネル１９０等の位置を規定できるようにしてもよい。
【００２０】
図３（Ａ）は図１（ｃ）のＡ付近であり、図３（Ｂ）は図１（ｄ）のＢ付近の拡大図である。ここで、Ａ付近とＢ付近とは同様の構成としているため、図３（Ａ）に基づく説明をする。図３（Ａ）に示すように、枠部１６３の内側下部には、所要の防錆対策などが施された金属板１７２が取り付けられている。また、パネル１９０は、金属板１７２の位置及び厚みに対応して、外側上部に段差１９１が形成される。
【００２１】
ここで、本実施形態では、パネル１９０と上部枠１６０との連結を維持するための工夫がされている。すなわち、枠部１６３と金属板１７２とに貫通孔１７３が設けられていて、パネル１９０にも貫通孔１７３に対応させて穴部１９２が形成されている。
【００２２】
本実施形態では、貫通孔１７３及び穴部１９２は、水平面に対して、５°〜４０°程度の傾斜をもって形成されている。貫通孔１７３及び穴部１９２は、ここでは直線的な形状で形成した例を示しているが、曲線的な形状で形成してもよい。
【００２３】
貫通孔１７３には、その先端が穴部１９２内に到達するように、ストッパ１７４（ここでは球状ストッパを図示）が挿入される。ストッパ１７４は、角柱体、円柱体、球体など、如何なる形状のものでもよく、これに応じて、貫通孔１７３及び穴部１９２も対応する形状とすればよい。
【００２４】
図３（Ａ）に示すように、球体ストッパ１７４を用いた場合には、球体ストッパ１７４の中心を通る垂線が、少なくとも枠部１６３の内壁よりも内側となる条件で、好ましくは、金属板１７２の中心を通る垂線よりも内側となる条件で、穴部１９２の深さを決定すればよい。この場合、球体ストッパ１７４と貫通孔１７３との接点と、金属板１７２の中心を通る垂線との距離は、当該接点に対して球体ストッパ１７４の中心を介した裏面の点と当該垂線との距離よりも長くなる。
【００２５】
こうすると、機能室１００に地震等による外力がかかった場合でも、パネル１９０と上部枠１６０との連結が維持される。これに代えて、角柱体或いは円柱体ストッパ１７４を用いた場合には、柱体ストッパ１７４の長さを十分に確保し、かつ、穴部１９２の深さも十分に確保するとよい。
【００２６】
また、必要に応じて、ストッパ１７４を挿入した後の貫通孔１７３には、図示しないキャップなどを嵌めこんで、ストッパ１７４の脱落を防止するとよい。係る場合には、貫通孔１７３及び穴部１９２を、水平面に対して、５°〜４０°程度の傾斜をもって形成することは必須ではなく、水平面と平行としてもよい。
【００２７】
なお、球体ストッパ１７４を用いる場合には、球体ストッパ１７４が貫通孔１７３及び穴部１９２内で水平方向に移動しないように、球体ストッパ１７４にその先端が接する条件でキャップの丈を決定するとよい。
【００２８】
また、貫通孔１７３及び穴部１９２は、一体的に形成してもよいし、そうでなくてもよい。特に、後者の場合には、貫通孔１７３については傾斜をもって形成し、穴部１９２については水平に形成することもできる。係る場合には、穴部１９２の図面上下方向の長さは、球体ストッパ１７４の直径と略同一とすればよい。
【００２９】
さらに、本実施形態の機能室１００は、金属板１７２に代えて、ゴム板を採用することもできる。こうすると、機能室１００に地震等による外力がかかった場合でも、ゴム板が、その外力を吸収することになる。さらに、穴部１９２を例えば球体ストッパ１７４の直径の１．２倍から１．７倍程度というように、相対的に大きなサイズとすることもできる。
【００３０】
こうすると、穴部１９２に空間が形成されるので、縦揺型地震があった場合には、穴部１９２の内壁によって球体ストッパ１７４が上下方向に押されることになるが、ゴム板で衝撃を吸収することができる。
【００３１】
以上説明した貫通孔１７３及び穴部１９２は、パネル１９０のみならず、パネル２００，等にも形成される。また、各パネル１９０等に形成される貫通孔１７３及び穴部１９２の数は、パネル１９０等のサイズに応じて、適宜、一つ又は複数とするとよい。
【図面の簡単な説明】
【００３２】
【図１】本発明の実施形態の機能室１００の模式図である。
【図２】図１に示す機能室１００の分解斜視図である。
【図３】図１（ｃ）のＡ付近等の拡大図である。
【符号の説明】
【００３３】
１００  機能室
１１０  床パネル
１２０  下部枠
１３０，１４０  ドアパネル
１５０  ドアヒンジ
１６０  上部枠
１８０  天井パネル
１９０，２００，２１０  側面パネル
【図１】
2012158876.tif 000003
【図２】
2012158876.tif 000004
【図３】
2012158876.tif 000005